(57)【要約】【課題】光送受信器の信号光の割当波長を設定できる光伝送装置等を提供する。【解決手段】光伝送装置は、光送受信器と、波長合分波器とを有する。波長合分波器は、各光送受信器からの各波長の信号光を合波して波長多重光を光伝送路に出力すると共に、光伝送路から波長多重光を各波長の信号光に分波して波長毎の光送受信器に当該信号光を出力する。光送受信器は、生成部と、検出部と、分析部と、設定部とを有する。生成部は、波長多重光に割当可能な波長毎の試験光を生成し、当該試験光を波長合分波器経由で光伝送路に伝送する。検出部は、光伝送路から前記試験光に対する反射光を検出する。分析部は、波長毎の反射光から波長毎の試験光の到達距離を算出する。設定部は、波長毎の到達距離が最長となる波長を、当該光送受信器の信号光に割当てる波長に設定する。【選択図】図２
2020098987.tif 000002
【特許請求の範囲】
【請求項１】
光送受信器と、各光送受信器からの各波長の信号光を合波して波長多重光を光伝送路に出力すると共に、前記光伝送路から前記波長多重光を各波長の信号光に分波して波長毎の光送受信器に当該信号光を出力する波長合分波器とを有する光伝送装置であって、
前記光送受信器は、
前記波長多重光に割当可能な波長毎の試験光を生成し、当該試験光を前記波長合分波器経由で前記光伝送路に伝送する生成部と、
前記光伝送路から前記試験光に対する反射光を検出する検出部と、
前記波長毎の反射光から前記波長毎の試験光の到達距離を算出する分析部と、
前記波長毎の前記到達距離が最長となる波長を、当該光送受信器の前記信号光に割当てる波長に設定する設定部と
を有することを特徴とする光伝送装置。
【請求項２】
前記設定部は、
前記波長合分波器内の異なる透過波長のコネクタに接続している状態で、前記波長毎の前記到達距離が最長となる波長を、当該コネクタに接続する前記光送受信器の前記信号光に割当てる波長に設定することを特徴とする請求項１に記載の光伝送装置。
【請求項３】
前記生成部は、
前記波長多重光に割当可能な波長の内、当該波長多重光に使用中の波長以外の波長で前記試験光を生成することを特徴とする請求項１に記載の光伝送装置。
【請求項４】
前記生成部は、
前記光伝送路上に前記波長多重光を増幅する光増幅器がなしの状態で試験光のパワー毎に到達距離が最大値まで測定可能なパルス幅のリストを参照し、前記試験光のパワーが前記光送受信器の信号光パワー未満となる第１のパルス幅を選択し、選択された第１のパルス幅と、前記光送受信器の到達距離が最大値の第１のパルス間隔とに基づき、第１の試験光を生成し、当該第１の試験光を前記光伝送路に伝送し、
前記検出部は、
前記光伝送路から前記第１の試験光に対する第１の反射光を検出し、
前記分析部は、
前記波長毎の第１の反射光から前記波長毎の第１の試験光の到達距離を算出し、
前記生成部は、
前記第１の試験光の到達距離が最長となる波長の当該光送受信器の波長割当に失敗した場合に、前記第１の試験光の到達距離に基づき、第２の試験光の第２のパルス間隔及び第２のパルス幅を算出し、前記第２の試験光の第２のパルス間隔及び第２のパルス幅に基づき、第２の試験光を生成し、当該第２の試験光を前記光伝送路に伝送し、
前記検出部は、
前記光伝送路から前記第２の試験光に対する第２の反射光を検出し、
前記分析部は、
前記波長毎の第２の反射光から前記波長毎の第２の試験光の到達距離を算出し、
前記設定部は、
前記第２の試験光の到達距離の内、前記到達距離が最長となる波長を、当該光送受信器の前記信号光に割当てる波長に設定することを特徴とする請求項１に記載の光伝送装置。
【請求項５】
光送受信器と、各光送受信器からの各波長の信号光を合波して波長多重光を光伝送路に出力すると共に、前記光伝送路から前記波長多重光を各波長の信号光に分波して波長毎の光送受信器に当該信号光を出力する波長合分波器とを有する光伝送装置が実行する波長設定方法であって、
前記光送受信器は、
前記波長多重光に割当可能な波長毎の試験光を生成し、当該試験光を前記波長合分波器経由で前記光伝送路に伝送し、
前記光伝送路から前記試験光に対する反射光を検出し、
前記波長毎の反射光から前記波長毎の試験光の到達距離を算出し、
前記波長毎の前記到達距離が最長となる波長を、当該光送受信器の前記信号光に割当てる波長に設定する
処理を実行することを特徴とする波長設定方法。
【請求項６】
各光送受信器から異なる波長の信号光を波長合分波器で合波した波長多重光に割当可能な波長毎の試験光を生成し、当該試験光を前記波長合分波器経由で光伝送路に伝送する生成部と、
前記光伝送路から前記試験光に対する反射光を検出する検出部と、
前記波長毎の反射光から前記波長毎の試験光の到達距離を算出する分析部と
を有することを特徴とする光送受信器。
【請求項７】
前記波長毎の試験光の到達距離が最長となる波長を、当該光送受信器の前記信号光に割当てる波長に設定する設定部をさらに有することを特徴とする請求項６に記載の光送受信器。
【発明の詳細な説明】
【技術分野】
【０００１】
本発明は、光伝送装置、波長設定方法及び光送受信器に関する。
【背景技術】
【０００２】
例えば、データセンタやモバイルデバイスの普及に伴ってネットワーク中のトラフィックは増え続けており、情報伝送のインフラとして利用される波長分割多重（ＷＤＭ：Wavelength  Division  Multiplex）光の伝送網の重要性が増している。
【０００３】
従来のＷＤＭ光を伝送する光伝送装置では、異なる波長の信号光を合分波する波長合分波器としてＡＷＧ（Arrayed  Waveguide  Granting）等の固定式のフィルタ素子が知られている。ＡＷＧは、異なる光送受信器からの各波長の各信号光を合波し、合波後のＷＤＭ光を光ファイバに出力する。また、ＡＷＧは、光ファイバから受信したＷＤＭ光を各波長の信号光に分波し、分波後の各波長の信号光を波長に対応した光送受信器に出力する。
【先行技術文献】
【特許文献】
【０００４】
【特許文献１】特開２００７−９７０６８号公報
【特許文献２】特開平６−１１７９６１号公報
【発明の概要】
【発明が解決しようとする課題】
【０００５】
しかしながら、光伝送装置では、ＡＷＧの複数のコネクタの内、光送受信器の信号光の波長を透過可能にするコネクタに当該光送受信器が物理的に接続された場合に当該光送受信器に接続されるコネクタで透過可能な信号波長が制限される。従って、光伝送装置では、光送受信器の送受信に使用する信号光の割当波長と、光送受信器と接続するＡＷＧのコネクタの透過波長との整合性を確保する必要がある。そこで、従来の光伝送装置では、作業者等の人手によって、光送受信器の信号光の割当波長と、光送受信器と接続するＡＷＧのコネクタの透過波長との整合性を確認している。つまり、光伝送装置では、作業者の確認作業で、ＡＷＧ内のコネクタの透過波長に応じて、当該コネクタと接続する光送受信器の信号光の割当波長を設定するため、作業者の作業負担が大である。
【０００６】
一つの側面では、光送受信器の信号光の割当波長を設定できる光伝送装置等を提供することを目的とする。
【課題を解決するための手段】
【０００７】
一つの態様の光伝送装置は、光送受信器と、波長合分波器とを有する。波長合分波器は、各光送受信器からの各波長の信号光を合波して波長多重光を光伝送路に出力すると共に、光伝送路から前記波長多重光を各波長の信号光に分波して波長毎の光送受信器に当該信号光を出力する。光送受信器は、生成部と、検出部と、分析部と、設定部とを有する。生成部は、波長多重光に割当可能な波長毎の試験光を生成し、当該試験光を波長合分波器経由で光伝送路に伝送する。検出部は、光伝送路から試験光に対する反射光を検出する。分析部は、波長毎の反射光から波長毎の試験光の到達距離を算出する。設定部は、波長毎の到達距離が最長となる波長を、当該光送受信器の信号光に割当てる波長に設定する。
【発明の効果】
【０００８】
一つの態様では、光送受信器の信号光の割当波長を設定できる。
【図面の簡単な説明】
【０００９】
【図１】図１は、実施例１のＷＤＭシステムの一例を示す説明図である。
【図２】図２は、光伝送装置の一例を示す説明図である。
【図３】図３は、光伝送装置のパルス光及び反射光の関係の一例を示す説明図である。
【図４】図４は、波長合分波器の入力コネクタの透過波長と、当該入力コネクタに接続する光送受信器からのパルス光の割当波長とが異なる場合の反射光レベルの一例を示す説明図である。
【図５】図５は、波長合分波器の入力コネクタの透過波長と、当該入力コネクタに接続する光送受信器からのパルス光の割当波長とが同一の場合の反射光レベルの一例を示す説明図である。
【図６】図６は、到達距離テーブルの一例を示す説明図である。
【図７】図７は、第１の波長設定処理に関わる光送受信器の処理動作の一例を示すフローチャートである。
【図８】図８は、実施例２の光伝送装置の一例を示す説明図である。
【図９】図９は、実施例３の光伝送装置の一例を示す説明図である。
【図１０】図１０は、実施例４を説明するための光アンプありのＷＤＭシステムの一例を示す説明図である。
【図１１】図１１は、実施例４の設定処理に関わる光送受信器の処理動作の一例を示すフローチャートである。
【図１２】図１２は、実施例５の光伝送装置の一例を示す説明図である。
【図１３】図１３は、到達距離テーブルの一例を示す説明図である。
【図１４】図１４は、第２の波長設定処理に関わる光送受信器の処理動作の一例を示すフローチャートである。
【発明を実施するための形態】
【００１０】
以下、図面に基づいて、本願の開示する光伝送装置、波長設定方法及び光送受信器の実施例を詳細に説明する。尚、各実施例により、開示技術が限定されるものではない。また、以下に示す各実施例は、矛盾を起こさない範囲で適宜組み合わせても良い。
【実施例１】
【００１１】
図１は、実施例１のＷＤＭシステム１の一例を示す説明図である。図１に示すＷＤＭ（Wavelength  Division  Multiplex）システム１は、光伝送装置２（２Ａ）と、対向側の光伝送装置２（２Ｂ）と、光伝送装置２Ａと対向側の光伝送装置２Ｂとの間の光ファイバ３とを有する。光ファイバ３は、光伝送装置２Ａと対向側の光伝送装置２Ｂとの間でＷＤＭ光を伝送する。
【００１２】
光伝送装置２は、割当波長の信号光を送受信する複数の光送受信器４と、各光送受信器４の信号光を合分波する波長合分波器５とを有する。光送受信器４は、送信部１１と、受信部１２とを有する。送信部１１は、割当波長の信号光を波長合分波器５に送信する。受信部１２は、波長合分波器５からの割当波長の信号光を受信する。波長合分波器５は、合波部２１と、分波部２２とを有する。合波部２１は、各光送受信器４からの異なる波長の信号光を合波し、合波後のＷＤＭ光を光ファイバ３に出力する。分波部２２は、光ファイバ３からのＷＤＭ光を異なる波長の信号光に分波し、分波後の異なる波長の信号光を対応波長の光送受信器４に出力する。尚、対向側の光伝送装置２Ｂも光伝送装置２Ａと同一の構成であるため、光伝送装置２Ａと同一の構成には同一符号を付すことで、その重複する構成及び動作の説明については省略する。
【００１３】
図２は、光伝送装置２の一例を示す説明図である。波長合分波器５は、複数の入力コネクタ２３Ａ（２３）と、複数の出力コネクタ２３Ｂ（２３）とを有する。入力コネクタ２３Ａは、複数の光送受信器４と合波部２１とを接続し、光送受信器４からの信号光を合波部２１に入力する。出力コネクタ２３Ｂは、複数の光送受信器４と分波部２２とを接続し、分波部２２から光送受信器４への信号光を出力する。入力コネクタ２３Ａの透過波長は、入力コネクタ２３Ａに接続する光送受信器４の信号光の割当波長と一致させる。出力コネクタ２３Ｂの透過波長も、出力コネクタ２３Ｂに接続する光送受信器４の信号光の割当波長と一致させる。
【００１４】
光伝送装置２内の光送受信器４は、ＣＦＰ（C-form-factor  Pluggable）３１と、ＯＴＮ（Optical  Transport  Network）フレーマ３２と、レーザ部３３と、変調部３４と、復調部３５とを有する。更に、光送受信器４は、光サーキュレータ３６と、入力コネクタ３７Ａ（３７）と、出力コネクタ３７Ｂ（３７）とを有する。光送受信器４は、通信制御部３９と、ＯＴＤＲ（Optical  Time  Domain  Reflectometer）制御部４０と、生成部４１と、検出部４２と、分析部４３と、到達距離テーブル４４と、設定部４５とを有する。
【００１５】
ＣＦＰ３１は、例えば、伝送ビットレートが１００Ｇｂｐｓの信号を送受信するための通信インタフェースである。ＯＴＮフレーマ３２は、電気信号をＯＴＮフレームに組み立てると共に、ＯＴＮフレームを電気信号に分解するフレーム処理部である。レーザ部３３は、レーザ光を発振する。変調部３４は、レーザ光でＯＴＮフレームを変調し、変調後の信号光を光サーキュレータ３６経由で出力コネクタ３７Ｂに出力する。復調部３５は、入力コネクタ３７Ａからの信号光をレーザ光で復調し、復調後のＯＴＮフレームをＯＴＮフレーマ３２に出力する。出力コネクタ３７Ｂは、光サーキュレータ３６と波長合分波器５内の入力コネクタ２３Ａとを接続し、光サーキュレータ３６からの信号光を波長合分波器５に出力する。入力コネクタ３７Ａは、波長合分波器５の出力コネクタ２３Ｂと復調部３５とを接続し、波長合分波器５からの信号光を復調部３５に入力する。光サーキュレータ３６は、変調部３４からの信号光を出力コネクタ３７Ｂに出力すると共に、出力コネクタ３７Ｂからのパルス光に対する反射光を検出部４２に出力する。尚、ＣＦＰ３１、ＯＴＮフレーマ３２、レーザ部３３、変調部３４及び復調部３５は、例えば、送信部１１及び受信部１２に相当する。
【００１６】
通信制御部３９は、光送受信器４全体を制御する。ＯＴＤＲ制御部４０は、波長毎の試験光であるパルス光を使用してパルス光の反射光を測定するＯＴＤＲを制御する。ＯＴＤＲ制御部４０は、光ファイバ３にパルス光を入力し、戻ってくるパルス光の散乱光及び反射光の大きさにより、光ファイバ３の伝送特性や断線等を検出する。
【００１７】
生成部４１は、ＯＴＤＲ制御部４０からのＷＤＭ光に割当可能な波長毎のパルス光のパラメータを生成し、パルス光のパラメータをレーザ部３３及び変調部３４に設定する。尚、パルス光のパラメータとは、例えば、パルス光の波長、パルス光のパルス間隔やパルス幅等に相当する。レーザ部３３は、生成部４１からの波長毎のパルス光のパラメータに基づき、波長毎のパルス光を生成する。変調部３４は、レーザ部３３で生成したパルス光を変調し、変調後のパルス光を光サーキュレータ３６経由で出力コネクタ３７Ｂに出力する。検出部４２は、入力コネクタ３７Ａからパルス光に対する反射光を検出する。尚、反射光は、例えば、パルス光の近端反射光、パルス光の後方散乱光やパルス光の端面反射光等である。
【００１８】
分析部４３は、検出部４２にて検出されたパルス光毎の反射光を分析する。分析部４３は、パルス光の波長毎の反射光に基づき、波長毎のパルス光の到達距離を算出する。分析部４３は、光送受信器４のスペックで信号光の最大到達距離や到達時間を使用して、パルス光に対する反射光のレベルや、パルス光の発光から反射光の受光までの時間に基づき、パルス光の到達距離を算出する。分析部４３は、波長毎のパルス光の到達距離を到達距離テーブル４４に記憶する。設定部４５は、到達距離テーブル４４を参照し、波長毎のパルス光の到達距離の内、最長の到達距離の波長を光送受信器４の割当波長に波長設定する。
【００１９】
波長合分波器５は、例えば、ＡＷＧ（Arrayed  Waveguide  Granting）である。合波部２１は、透過波長が異なる複数の入力コネクタ２３Ａを備え、各入力コネクタ２３Ａから各光送受信器４の異なる波長の信号光を合波し、合波後のＷＤＭ光を光ファイバ３に出力する。分波部２２は、透過波長が異なる複数の出力コネクタ２３Ｂを備え、光ファイバ３からのＷＤＭ光を分波し、分波後の異なる波長の信号光を出力コネクタ２３Ｂを通して各光送受信器４に出力する。
【００２０】
図３は、光伝送装置２のパルス光及び反射光の関係の一例を示す説明図である。作業者は、光伝送装置２Ａと対向側の光伝送装置２Ｂとを光ファイバ３で接続する場合、光送受信器４の割当波長と波長合分波器５のコネクタ２３の透過波長との整合性が確保するように光送受信器４と波長合分波器５のコネクタ２３とを接続している。
【００２１】
本実施例では、近端の光送受信器４の内部からの近端反射のため、ＯＴＤＲの直近の特性が測定できない性質に着目する。更に、本実施例では、長距離の光ファイバ３では反射光がノイズレベルよりも低くなる距離から先の特性が測定できず、波長合分波器５内のコネクタ２３の透過波長以外の波長が透過しない性質に着目している。光送受信器４では、パルス光の波長可変式のＯＴＤＲ機能を組み込んで、ＷＤＭ光に割当可能な各波長のパルス光の到達距離を算出し、波長毎の到達距離をテーブル化する。光送受信器４は、波長毎のパルス光の到達距離に基づき、波長合分波器５のコネクタ２３を透過する信号光の波長を探索する。そして、光送受信器４は、この波長に信号光の割当波長を設定する。
【００２２】
光送受信器４内の生成部４１は、異なる波長のパルス光を生成すべく、レーザ部３３及び変調部３４にパラメータを設定する。変調部３４は、レーザ部３３からの所定波長のパルス光を変調し、変調後のパルス光を波長合分波器５経由で光ファイバ３に出力する。
【００２３】
光送受信器４内の検出部４２は、パルス光が光送受信器４の内部から光ファイバ３を伝送する際に発生する、例えば、近端反射光、後方散乱光や端面反射光等の反射光を検出する。近端反射光とは、例えば、光送受信器４の内部で発生する、パルス光の反射光である。後方散乱光は、光ファイバ３を通過するパルス光の散乱光である。端面反射光は、例えば、光ファイバ３上のコネクタ２３やコネクタ３７においてファイバが接合されるポイントで発生する、パルス光の反射光である。対向側の光伝送装置２Ｂ内の光伝送装置４の光コネクタ３７においても、この端面反射光が発生する。
【００２４】
図３に示す反射光レベルは、パルス光が近端の光送受信器４の内部を通過する際にパルス光の近端反射で一時的に上昇するものの、パルス光が光ファイバ３を通過するに連れて徐々に減衰する。更に、反射光レベルは、光ファイバ３が屈曲する地点で減衰し、パルス光が光ファイバ３を通過するに連れて徐々に低下するものの、パルス光が対向側の光伝送装置２Ｂ内の光送受信器４で受光した際に発生する端面反射で顕著に上昇する。その後、反射光レベルは、端面反射で顕著に上昇した後、ノイズレベル以下に低下することになる。
【００２５】
図４は、波長合分波器５の入力コネクタ２３Ａの透過波長と、当該入力コネクタ２３Ａに接続する光送受信器４からのパルス光の割当波長とが異なる場合の反射光レベルの一例を示す説明図である。図４に示す反射光のレベルは、近端の波長合分波器５の入力コネクタ２３Ａからのパルス光に対する端面反射に応じて上昇するものの、波長合分波器５以降のパルス光に対する反射光のレベルが著しく低下する。つまり、光送受信器４の割当波長と、光送受信器４と接続する波長合分波器５の入力コネクタ２３Ａの透過波長とが異なるため、波長合分波器５でパルス光が透過せず、波長合分波器５以降のパルス光に対する反射光が戻って来ない状態と言える。
【００２６】
図５は、波長合分波器５の入力コネクタ２３Ａの透過波長と、当該入力コネクタ２３Ａに接続する光送受信器４からのパルス光の割当波長とが同一の場合の反射光レベルの一例を示す説明図である。図５に示す反射光のレベルは、近端の波長合分波器５の入力コネクタ２３Ａからのパルス光に対する端面反射に応じて上昇する。更に、反射光のレベルは、波長合分波器５以降の光ファイバ３を通過するパルス光の後方散乱に応じて反射光のレベルが徐々に低下する。更に、反射光のレベルは、対向側の光伝送装置２Ｂ内の波長合分波器５の入力コネクタ２３Ａからのパルス光に対する遠端反射に応じて上昇する。更に、反射光のレベルは、対向側の光伝送装置２Ｂ内の光送受信器４で受光したパルス光の端面反射に応じて反射光のレベルが上昇し、上昇後に反射光のレベルがノイズレベル以下まで低下する。
【００２７】
図６は、到達距離テーブル４４の一例を示す説明図である。図６に示す到達距離テーブル４４は、ＷＤＭ光に割当可能なパルス光の波長毎に到達距離を管理する。分析部４３は、検出部４２にて検出したパルス光に対する反射光に基づき、パルス光の波長毎に検出部４２で検出される反射光のレベルがノイズレベル以下になる点をその波長における到達距離と考え、パルス光の到達距離を順次算出する。分析部４３は、パルス光の波長毎に算出した到達距離を到達距離テーブル４４に記憶する。設定部４５は、到達距離テーブル４４を参照し、最長到達距離の波長を当該光送受信器４の割当波長に設定する。尚、図６に示す到達距離テーブル４４の場合、設定部４５は、到達距離が最長である８６．６ｋｍに対応する波長である１５４４．５３ｎｍを光送受信器４の割当波長に設定する。
【００２８】
図７は、第１の波長設定処理に関わる光送受信器４の処理動作の一例を示すフローチャートである。図７において光送受信器４内のＯＴＤＲ制御部４０は、光送受信器４においてＷＤＭ光に割当可能なパルス光の波長を設定する（ステップＳ１１）。光送受信器４内の生成部４１は、設定した波長のパルス光を生成し、生成したパルス光を波長合分波器５経由で光ファイバ３に出力する（ステップＳ１２）。光送受信器４内の検出部４２は、波長合分波器５からパルス光に対する反射光を検出する（ステップＳ１３）。尚、反射光は、例えば、端面反射光や後方散乱光等の反射光である。
【００２９】
光送受信器４内の分析部４３は、検出部４２にて検出された反射光を分析する（ステップＳ１４）。分析部４３は、パルス光の反射光に基づき、パルス光の波長毎の当該パルス光の到達距離を算出する（ステップＳ１５）。分析部４３は、パルス光の波長毎の到達距離を到達距離テーブル４４に記憶する（ステップＳ１６）。ＯＴＤＲ制御部４０は、光送受信器４においてＷＤＭ光に割当可能な波長の内、未設定波長のパルス光があるか否かを判定する（ステップＳ１７）。光送受信器４内の設定部４５は、未設定波長のパルス光がある場合（ステップＳ１７肯定）、未設定波長のパルス光を設定すべく、ステップＳ１１に移行する。
【００３０】
設定部４５は、未設定波長のパルス光がない場合（ステップＳ１７否定）、到達距離テーブル４４を参照し、到達距離が最長の波長が１本であるか否かを判定する（ステップＳ１８）。設定部４５は、到達距離が最長の波長が１本の場合（ステップＳ１８肯定）、到達距離が最長の波長を光送受信器４の割当波長に設定し（ステップＳ１９）、図７に示す処理動作を終了する。
【００３１】
設定部４５は、到達距離が最長の波長が１本でない場合（ステップＳ１８否定）、異常通知を図示せぬ作業者の端末装置に通知し（ステップＳ２０）、図７に示す処理動作を終了する。
【００３２】
実施例１のＷＤＭシステム１内の光送受信器４では、ＷＤＭ光に割当可能な波長毎のパルス光を生成し、当該パルス光を波長合分波器５経由で光ファイバ３に伝送し、光ファイバ３からパルス光に対する反射光を検出する。更に、光送受信器４は、波長毎の反射光から波長毎のパルス光の到達距離を算出し、波長毎の到達距離が最長となる波長を、当該光送受信器４に割当てる波長に設定する。その結果、波長合分波器５に特別な機能を設ける必要がなく、波長合分波器５のコネクタ２３と接続する光送受信器４の信号光の割当波長を自動設定できる。従来のような波長合分波器５の入力コネクタ２３Ａの透過波長と、波長合分波器５の入力コネクタ２３Ａと接続する光送受信器４の信号光の割当波長との整合性を確保するための作業者の作業負担が軽減できる。
【００３３】
しかも、光送受信器４は、信号光を送信する光ファイバ３と同一経路で各波長のパルス光を送信し、同一経路のパルス光に対する反射光に基づき、ＷＤＭ光に割当可能な波長毎の到達距離を算出する。光送受信器４は、パルス光の波長毎の到達距離の内、最長到達距離の波長を信号光の割当波長に設定する。その結果、光送受信器４は、信号光と同一経路のパルス光の反射光を使用して、現在の接続状況に応じた信号光の割当波長を自動設定できる。
【００３４】
光送受信器４では、到達距離が最長の波長が１本でない場合、波長合分波器５の入力コネクタ２３Ａと光送受信器４との結線が間違ったものと判断し、異常を報知する。その結果、作業者は、異常報知に基づき、結線の間違いを認識できる。
【００３５】
従来方式では、光送受信器４と波長合分波器５との間の結線及び光送受信器４への波長設定が正しいことを確認するために、波長合分波器５のモニタポートに光スペクトルアナライザを接続する。そして、光スペクトルアナライザで設計通りのスペクトルが観測されることを確認することが必要だった。これに対して、本実施例では、光送受信器４と波長合分波器５との間の結線と、光送受信器４の信号光の割当波長と波長合分波器５のコネクタの透過波長との整合性とを保証すべく、パルス光の到達距離が最大の波長を光送受信器４の割当波長に自動的に設定する。その結果、光スペクトルアナライザを使用しなくても、作業者の作業負担を軽減できる。従って、設計通りに配線されたかどうかの確認が従来方式に比べて容易になる。
【００３６】
光送受信器４では、信号光及びパルス光の生成をレーザ部３３及び変調部３４で共有できるため、部品コストが低減できる。
【００３７】
尚、実施例１の光送受信器４では、検出部４２でパルス光に対する反射光を検出する場合を例示した。しかしながら、復調部３５で検出部４２の機能を兼用しても良く、その実施の形態につき、実施例２として以下に説明する。
【実施例２】
【００３８】
図８は、実施例２の光伝送装置２Ａの一例を示す説明図である。尚、実施例１の光伝送装置２Ａと同一の構成には同一符号を付すことで、その重複する構成及び動作の説明について省略する。
【００３９】
図８に示す実施例２の光送受信器４Ａと実施例１の光送受信器４とが異なるところは、復調部３５Ａで検出部４２の機能を兼用した点にある。光送受信器４Ａは、復調部３５Ａと入力コネクタ３７Ａとの間に配置されたスイッチ４６と、光サーキュレータ３６Ａとを有する。光サーキュレータ３６Ａは、変調部３４からのパルス光を出力コネクタ３７Ｂに出力すると共に、出力コネクタ３７Ｂからのパルス光に対する反射光をスイッチ４６に出力する。スイッチ４６は、復調部３５Ａに対する出力を光サーキュレータ３６Ａからの出力コネクタ３７Ｂ経由のパルス光と、入力コネクタ３７Ａからの信号光のうちのいずれかに切り替える。復調部３５Ａは、スイッチ４６の切替接続で光サーキュレータ３６Ａからの反射光を復調し、復調後の反射光を分析部４３に出力する。
【００４０】
分析部４３は、パルス光の反射光の検出結果に基づき、パルス光の到達距離を算出し、パルス光の波長毎の到達距離を到達距離テーブル４４に記憶する。設定部４５は、パルス光の波長毎の到達距離に基づき、到達距離が最長のパルス光の波長を光送受信器４の割当波長に設定する。
【００４１】
実施例２のＷＤＭシステム１内の光送受信器４Ａでは、ＷＤＭ光に割当可能な波長毎のパルス光を生成し、当該パルス光を波長合分波器５経由で光ファイバ３に伝送し、光ファイバ３からパルス光に対する反射光を検出する。更に、光送受信器４Ａは、波長毎の反射光から波長毎のパルス光の到達距離を算出し、波長毎の到達距離が最長となる波長を、当該光送受信器４Ａに割当てる波長に設定する。その結果、波長合分波器５に特別な機能を設ける必要がなく、波長合分波器５と接続する光送受信器４Ａの信号光の割当波長を自動設定できる。従って、作業者の作業負担が軽減できる。
【００４２】
光送受信器４Ａでは、信号光及びパルス光の生成をレーザ部３３及び変調部３４で実行すると共に、反射光を検出する検出部４２の機能を復調部３５Ａで実行するため、部品コストが軽減できる。
【００４３】
尚、実施例１の光送受信器４では、信号光を生成するレーザ部３３を使用してパルス光を生成する場合を例示したが、パルス光と信号光とを別個に生成するようにしても良く、その実施の形態につき、実施例３として以下に説明する。
【実施例３】
【００４４】
図９は、実施例３の光伝送装置２の一例を示す説明図である。尚、実施例１の光伝送装置２と同一の構成には同一符号を付すことで、その重複する構成及び動作の説明について省略する。
【００４５】
図９に示す実施例３の光送受信器４Ｂと実施例１の光送受信器４とが異なるところは、スイッチ４６Ａと、波長設定部４７と、生成部４１Ａと、光サーキュレータ３６Ｂとを有する点にある。スイッチ４６Ａは、変調部３４と出力コネクタ３７Ｂとの間に配置されている。波長設定部４７は、パルス光の波長を設定する。生成部４１Ａは、波長設定部４７にて設定された波長でパルス光を生成する。光サーキュレータ３６Ｂは、生成部４１Ａからのパルス光をスイッチ４６Ａに出力すると共に、スイッチ４６Ａからの反射光を検出部４２に出力する。
【００４６】
スイッチ４６Ａは、生成部４１Ａからのパルス光を出力コネクタ３７Ｂに出力すると共に、出力コネクタ３７Ｂからのパルス光に対する反射光を光サーキュレータ３６Ａに出力する。光サーキュレータ３６Ａは、スイッチ４６Ａからの反射光を検出部４２に出力する。検出部４２は、パルス光に対する反射光を検出し、検出した反射光を分析部４３に出力する。分析部４３は、パルス光の反射光の分析結果に基づき、パルス光の到達距離を算出し、パルス光の波長毎の到達距離を到達距離テーブル４４に記憶する。設定部４５は、パルス光の波長毎の到達距離に基づき、到達距離が最長のパルス光の波長を光送受信器４Ｂの割当波長に設定する。
【００４７】
実施例３の光送受信器４Ｂでは、ＷＤＭ光に割当可能な波長毎のパルス光を生成し、当該パルス光を波長合分波器５経由で光ファイバ３に伝送し、光ファイバ３からパルス光に対する反射光を検出する。更に、光送受信器４Ｂは、波長毎の反射光から波長毎のパルス光の到達距離を算出し、波長毎の到達距離が最長となる波長を、当該光送受信器４Ｂに割当てる波長に設定する。その結果、波長合分波器５に特別な機能を設ける必要がなく、波長合分波器５と接続する光送受信器４Ｂの信号光の割当波長を自動設定できる。従って、作業者の作業負担が軽減できる。
【００４８】
尚、実施例１乃至３のＷＤＭシステム１では、光伝送装置２Ａと、対向側の光伝送装置２Ｂとの間の光ファイバ３上にＷＤＭ光を増幅する光アンプなしのシステムを例示した。これに対して、ＷＤＭ光の長距離伝送を実現するためには光ファイバ３上に光アンプありのＷＤＭシステム１Ａのようなシステムを用いる。光送受信機４が接続されたＷＤＭシステムが、光アンプなしのＷＤＭシステムなのか光アンプありのＷＤＭシステムなのかがわからない場合の実施の形態につき、実施例４として以下に説明する。
【実施例４】
【００４９】
図１０は、実施例４を説明するための光アンプありのＷＤＭシステム１Ａの一例を示す説明図である。図１０に示すＷＤＭシステム１Ａは、光伝送装置２Ａと、光アンプ６Ａ（６）と、対向側の光伝送装置２Ｂと、対向側の光アンプ６Ｂ（６）と、光ファイバ３とを有する。光伝送装置２Ａから対向側の光伝送装置２Ｂへの上りの光ファイバ３Ａ（３）上に光アンプ６Ａ及び対向側の光アンプ６Ｂを配置する。対向側の光伝送装置２Ｂから光伝送装置２Ａへの下りの光ファイバ３Ｂ（３）上に対向側の光アンプ６Ｄ及び光アンプ６Ｃを配置する。
【００５０】
上りの光ファイバ３Ａ上の光アンプ６Ａは、光伝送装置２ＡからのＷＤＭ光を光増幅し、光増幅後のＷＤＭ光を対向側の光アンプ６Ｂに出力する。更に、対向側の光アンプ６Ｂは、光アンプ６ＡからのＷＤＭ光を光増幅し、光増幅後のＷＤＭ光を対向側の光伝送装置２Ｂに出力する。また、下りの光ファイバ３Ｂ上の対向側の光アンプ６Ｄは、対向側の光伝送装置２ＢからのＷＤＭ光を光増幅し、光増幅後のＷＤＭ光を光アンプ６Ｃに出力する。更に、光アンプ６Ｃは、対向側の光アンプ６ＤからのＷＤＭ光を光増幅し、光増幅後のＷＤＭ光を光伝送装置２Ａに出力する。光アンプ６には、アイソレータが内蔵されているため、入力方向からのＷＤＭ光の入力に対してはＷＤＭ光を光増幅するが、出力方向からのＷＤＭ光の入力に対してはＷＤＭ光の出力を遮断することになる。
【００５１】
ＯＴＤＲでは、パルス光のパワーが大きい方が測定可能な距離も長くなるが、ＷＤＭシステム１Ａでは他波長の信号光への影響を避けるために、パルス光のパワーはＷＤＭシステム１Ａで用いられている他の信号光のパワーよりも大きくできない。また、パルス光のパルス幅は、長い方が測定可能な距離が大きくなるが、パルス幅が長いと距離分解能が粗くなり、近端反射の影響を受ける時間も長くなるので直近の特性を測定できない。また、長い距離の測定を正しく行うためには、パルス光のパルス間隔を長くする必要がある。しかしながら、パルス間隔が長いと測定に時間がかかるため、波長の自動設定に必要な時間も長くなる。また、前のパルス光の反射光が戻ってくる前に次のパルス光が送出されると、どちらのパルス光に対する反射光なのかがわからなくなる。その結果、パルス光が反射した地点の到達距離を誤って判断する虞がある。
【００５２】
ＷＤＭシステム１の光伝送装置２Ａと対向側の光伝送装置２Ａとの間の光ファイバ３上に光アンプ６が存在しない場合、波長合分波器５で透過する波長のパルス光は、対向の光伝送装置２Ｂに至るまで反射光が戻って来る。その結果、光アンプ６が存在しない場合、パルス光のパルス間隔を大きくすることが必要である。一般的に、光アンプ無しのＷＤＭシステムにおいては波長合分波器５の透過可能な波長と透過不可の波長との到達距離の差は数ｋｍ程度以上ある。従って、光送受信器４では、距離分解能が小さくても良く、パルス光のパルス幅も広くても良い。
【００５３】
これに対して、光伝送装置２Ａと対向側の光伝送装置２Ｂとの間の光ファイバ３上に光アンプ６が存在する場合、波長合分波器５で透過する波長の光でも、光アンプ６内にアイソレータが入っているため、光アンプ６よりも先からパルス光の反射光が戻って来ない。一般に、光アンプ６と波長合分波器５との間は数ｍ〜数十ｍ程度のパッチコードしかなく、波長合分波器５の透過可能な波長と透過不可の波長との到達距離の差は、このパッチコードの長さ程度である。従って、光送受信器４は、距離分解能が大きくする必要があるため、パルス光のパルス幅も狭くする必要がある。
【００５４】
これらの点を踏まえて、ＯＴＤＲ制御部４０は、予め、光送受信器４の最大スペックから、光アンプ無しでの到達距離の最大値を得て、（光アンプ無しでの到達距離の最大値×２÷光ファイバ３中の光の伝送速度）＋マージンでパルス光の第１のパルス間隔を算出する。そして、ＯＴＤＲ制御部４０は、予め、複数のパルス光のパワーに対して、到達距離の最大値まで測定可能なパルス幅を（例えば実験的に）求めて、リスト化する。更に、光送受信器４に信号光のパワーが設定されたら、リストの中から信号光のパワーを超えないパルス光のパワーを選択し、このパルス光のパワーに対応するパルス光の第１のパルス幅を選択する。その結果、ＯＴＤＲ制御部４０は、第１のパルス幅及び第１のパルス間隔で光アンプ６無しの場合の第１のパルス光（第１の試験光）を設定する。
【００５５】
ＯＴＤＲ制御部４０は、第１のパルス幅及び第１のパルス間隔で設定した第１のパルス光で測定した到達距離（光アンプありのＷＤＭシステムの場合は光アンプ６までの距離と推定）から、（測定された到達距離×２÷光ファイバ３中の光の伝送速度）＋マージンでパルス光の第２のパルス間隔を算出する。そして、ＯＴＤＲ制御部４０は、パルス光の第２のパルス幅を、距離分解能１ｍ以下になる値に設定する。その結果、ＯＴＤＲ制御部４０は、第２のパルス幅及び第２のパルス間隔で光アンプ６有りの場合の第２のパルス光（第２の試験光）を設定する。
【００５６】
図１１は、実施例４の設定処理に関わる光送受信器４の処理動作の一例を示すフローチャートである。図１１において光送受信器４内のＯＴＤＲ制御部４０は、光アンプ６なしの状態を想定した第１のパルス幅及び第１のパルス間隔で第１のパルス光を設定する（ステップＳ３１）。尚、第１のパルス間隔は、（光アンプ無しでの到達距離の最大値×２÷光ファイバ３中の光の伝送速度）＋マージンで算出したパルス間隔である。第１のパルス幅は、信号光のパワーを超えないパルス光のパワーを選択し、パルス光のパワーに対応するパルス幅である。ＯＴＤＲ制御部４０は、第１のパルス光のパワーが信号光パワーを超えないように設定する（ステップＳ３２）。光送受信器４は、ステップＳ３１及びＳ３２の設定で、第１のパルス光を使用して、図７に示す第１の波長設定処理を実行する（ステップＳ３３）。
【００５７】
設定部４５は、第１の波長設定処理にて第１のパルス光で光送受信器４の割当波長の波長設定が成功したか否かを判定する（ステップＳ３４）。ＯＴＤＲ制御部４０は、波長設定が成功したのでない場合（ステップＳ３４否定）、光アンプ６ありの状態を想定した第２のパルス幅及び第２のパルス間隔で第２のパルス光を設定する（ステップＳ３５）。尚、第２のパルス間隔は、第１のパルス光で測定した到達距離から、（測定された到達距離×２÷光ファイバ３中の光の伝送速度）＋マージンで算出し直したパルス間隔である。第２のパルス幅は、距離分解能１ｍ以下になる値に設定し直したパルス幅である。光送受信器４は、ステップＳ３５の設定で、第２のパルス光を使用して、第１の波長設定処理を実行する（ステップＳ３６）。設定部４５は、光送受信器４への割当波長への波長設定が成功したか否かを判定する（ステップＳ３７）。設定部４５は、割当波長への波長設定が成功した場合（ステップＳ３７肯定）、図１１に示す処理動作を終了する。
【００５８】
設定部４５は、割当波長への波長設定が成功したのでない場合（ステップＳ３７否定）、作業者の端末装置に異常を通知し（ステップＳ３８）、図１１に示す処理動作を終了する。設定部４５は、波長設定が成功した場合（ステップＳ３４肯定）、図１１に示す処理動作を終了する。
【００５９】
実施例４の光送受信器４は、光ファイバ３上の光アンプ６の有無に応じて、パルス光のパルス間隔及びパルス幅を自動設定するので、光アンプ６の有無に応じて適切なパルス光のパルス間隔及びパルス幅を設定できる。
【００６０】
光送受信器４は、光ファイバ３上で光アンプ６の無しの状態の場合、第１のパルス間隔及び第１のパルス幅の第１のパルス光を生成する。そして、光送受信器４は、第１のパルス光を光ファイバ３に出力し、第１のパルス光に対する第１の反射光を検出し、第１の反射光に基づき到達距離を算出する。更に、光送受信器４は、到達距離に基づき、割当波長への波長設定が成功した場合、最長到達距離の波長を割当波長に設定する。その結果、光アンプ６無しの状態での光送受信器４の割当波長を自動設定できる。
【００６１】
光送受信器４は、第１のパルス光の到達距離に基づき、割当波長への波長設定が失敗した場合、第２のパルス間隔及び第２のパルス幅の第２のパルス光を生成する。そして、光送受信器４は、第２のパルス光を光ファイバ３に出力し、第２のパルス光に対する第２の反射光を検出し、第２の反射光に基づき到達距離を算出する。更に、光送受信器４は、到達距離に基づき、割当波長への波長設定が成功した場合、最長到達距離の波長を割当波長に設定する。その結果、光アンプ６ありの状態での光送受信器４の割当波長を自動設定できる。
【００６２】
尚、実施例１の光伝送装置２は、波長合分波器５としてＡＷＧを例示したが、ＡＷＧの代わりにＣＤ−ＲＯＡＤＭ（Colorless  Directionless  Reconfigurable  Optical  Add/Drop  Multiplexer）を代用しても良い。その実施の形態につき、実施例５として以下に説明する。
【実施例５】
【００６３】
図１２は、実施例５の光伝送装置２Ｃの一例を示す説明図である。図１２に示す光伝送装置２Ｃと実施例１の光伝送装置２とが異なるところは、波長合分波器５（ＡＷＧ）の代わりにＣＤ−ＲＯＡＤＭ５Ａを配置した点にある。ＣＤ−ＲＯＡＤＭ５Ａは、信号光を波長毎に適切な方路に振り分けて送受信する再構成可能な光分岐挿入多重装置である。
【００６４】
ＣＤ−ＲＯＡＤＭ５Ａは、入力コネクタ５１Ａ（５１）と、出力コネクタ５１Ｂ（５１）と、光カプラ５２と、複数のＷＳＳ（Wavelength  Selective  Switch）５３と、光スプリッタ５４とを有する。ＣＤ−ＲＯＡＤＭ５Ａの入力コネクタ５１Ａは、割当可能な全波長を透過可能にし、光送受信器４の出力コネクタ３７Ｂと接続すると共に、光カプラ５２と接続する。ＣＤ−ＲＯＡＤＭ５Ａの出力コネクタ５１Ｂは、割当可能な全波長を透過可能にし、光送受信器４の入力コネクタ３７Ａと接続すると共に、光スプリッタ５４と接続する。光カプラ５２は、各光送受信器４からの異なる波長の信号光を合波し、合波後のＷＤＭ光をＷＳＳ５３に出力する。ＷＳＳ５３は、ＷＤＭ光内の任意の波長群のＷＤＭ光を光ファイバ３に出力する。
【００６５】
ＷＳＳ５３は、光ファイバ３からのＷＤＭ光を受光し、受光後のＷＤＭ光の内、任意の波長群のＷＤＭ光を抽出し、抽出した任意の波長群のＷＤＭ光を光スプリッタ５４に出力する。光スプリッタ５４は、ＷＳＳ５３からＷＤＭ光を各光送受信器４に出力する。各光送受信器４は、ＷＤＭ光から割当波長の信号光を抽出し、抽出した信号光を復調する。
【００６６】
図１３は、到達距離テーブル４４Ａの一例を示す説明図である。図１３に示す到達距離テーブル４４Ａは、パルス光の波長と、使用中フラグと、到達距離とを対応付けて管理する。
【００６７】
光送受信器４内のＯＴＤＲ制御部４０は、ＷＤＭ光に割当可能な波長のパルス光のパラメータをレーザ部３３に設定する際にパルス光の割当波長がＷＤＭ光に現在使用中の波長であるか否かを判定する。現在使用中の波長かどうかの判断は、復調部３５を用いてその波長で光信号が受信されているかどうかにより判断する。光送受信器４内の分析部４３は、パルス光の割当波長がＷＤＭ光に現在使用中の波長の場合、パルス光の波長に対する使用中フラグ“ｎｏ”を到達距離テーブル４４Ａに記憶する。そして、生成部４１は、パルス光の割当波長がＷＤＭ光に現在使用中の波長の場合、当該波長のパルス光を生成せず、次に割当可能な未設定波長のパルス光のパラメータをレーザ部３３及び変調部３４に設定する。その結果、生成部４１は、ＷＤＭ光で現在使用中の信号光の波長と、パルス光の波長との衝突を回避できる。レーザ部３３は、未設定波長のパルス光を生成し、未設定波長のパルス光を変調部３４に出力する。変調部３４は、未設定波長のパルス光を光サーキュレータ３６経由で出力コネクタ３７Ｂに出力する。
【００６８】
ＣＤ−ＲＯＡＤＭ５Ａ内の光カプラ５２は、入力コネクタ５１Ａ経由で各光送受信器４からのパルス光を合波し、合波後のＷＤＭ光をＷＳＳ５３に出力する。ＷＳＳ５３は、ＷＤＭ光を光ファイバ３に出力する。
【００６９】
検出部４２は、光カプラ５２経由で入力コネクタ５１ＡからのＷＤＭ光内のパルス光に対する反射光を検出する。分析部４３は、パルス光の波長毎の反射光に基づき、波長毎のパルス光の到達距離を算出する。分析部４３は、波長毎のパルス光の到達距離及び使用中フラグ“ｙｅｓ”を到達距離テーブル４４Ａに記憶する。設定部４５は、到達距離テーブル４４Ａを参照し、波長毎のパルス光の到達距離の内、使用中フラグが“ｎｏ”の最長到達距離の波長を光送受信器４の割当波長に波長設定する。
【００７０】
次に実施例５のＷＤＭシステム１の動作について説明する。図１４は、第２の波長設定処理に関わる光送受信器４の処理動作の一例を示すフローチャートである。図１４は、第２の波長設定処理に関わる光送受信器４の処理動作の一例を示すフローチャートである。図１４において光送受信器４内のＯＴＤＲ制御部４０は、ＷＤＭ光に割当可能なパルス光の波長を設定する（ステップＳ４１）。ＯＴＤＲ制御部４０は、復調部３５を使ってパルス光の設定波長がＷＤＭ光に現在使用中の信号光の波長であるか否かを判定する（ステップＳ４２）。
【００７１】
光送受信器４内の生成部４１は、パルス光の設定波長がＷＤＭ光に現在使用中の信号光の波長でない場合（ステップＳ４２否定）、設定した波長のパルス光を生成し、生成したパルス光をＣＤ−ＲＯＡＤＭ５Ａ経由で光ファイバ３に出力する（ステップＳ４３）。
【００７２】
光送受信器４内の検出部４２は、ＣＤ−ＲＯＡＤＭ５Ａからパルス光に対する反射光を検出する（ステップＳ４４）。尚、反射光は、例えば、端面反射光や後方散乱光等の反射光である。光送受信器４内の分析部４３は、検出部４２にて検出された反射光を分析する（ステップＳ４５）。分析部４３は、パルス光の反射光に基づき、パルス光の波長毎の当該パルス光の到達距離を算出する（ステップＳ４６）。分析部４３は、パルス光の波長毎の到達距離及び使用中フラグ“ｎｏ”を到達距離テーブル４４Ａに記憶する（ステップＳ４７）。ＯＴＤＲ制御部４０は、ＷＤＭ光に割当可能な波長の内、未設定波長のパルス光があるか否かを判定する（ステップＳ４８）。光送受信器４内の設定部４５は、未設定波長のパルス光がある場合（ステップＳ４８肯定）、未設定波長のパルス光を設定すべく、ステップＳ４１に移行する。
【００７３】
設定部４５は、未設定波長のパルス光がない場合（ステップＳ４８否定）、到達距離テーブル４４Ａを参照し、到達距離が最長の波長が１本であるか否かを判定する（ステップＳ４９）。設定部４５は、到達距離が最長の波長が１本の場合（ステップＳ４９肯定）、到達距離が最長の波長を光送受信器４の割当波長に設定し（ステップＳ５０）、図１４に示す処理動作を終了する。
【００７４】
設定部４５は、到達距離が最長の波長が１本でない場合（ステップＳ４９否定）、異常通知を図示せぬ作業者の端末装置に通知し（ステップＳ５１）、図１４に示す処理動作を終了する。
【００７５】
分析部４３は、パルス光の設定波長がＷＤＭ光に現在使用中の信号光の波長である場合（ステップＳ４２肯定）、パルス光の波長毎の使用中フラグ“ｙｅｓ”及び到達距離“測定せず”を到達距離テーブル４４Ａに記憶する（ステップＳ５２）。そして、ＯＴＤＲ制御部４０は、割当可能な未設定のパルス光の波長があるか否かを判定すべく、ステップＳ４８に移行する。
【００７６】
実施例５の光送受信器４では、ＷＤＭ光に割当可能な波長毎のパルス光を生成し、当該パルス光をＣＤ−ＲＯＡＤＭ５Ａ経由で光ファイバ３に伝送し、光ファイバ３からパルス光に対する反射光を検出する。更に、光送受信器４は、波長毎の反射光から波長毎のパルス光の到達距離を算出し、波長毎の到達距離が最長となる波長を、当該光送受信器４に割当てる信号光の割当波長に設定する。その結果、ＣＤ−ＲＯＡＤＭ５Ａに特別な機能を設ける必要がなく、ＣＤ−ＲＯＡＤＭ５Ａと接続する光送受信器４の信号光の割当波長を自動設定できる。従って、作業者の作業負担が軽減できる。
【００７７】
光送受信器４は、ＷＤＭ光に割当可能な波長毎のパルス光を生成する場合、パルス光の設定波長がＷＤＭ光に現在使用中の信号光の波長の場合、当該波長のパルス光を送信しない。その結果、パルス光とＷＤＭ光に使用中の信号光との波長衝突を回避できる。
【００７８】
尚、本実施例では、光送受信器４を例示したが、光送受信器４としては、例えば、トランスポンダ、マックスポンダ、ＣＦＰやＱＳＦＰ（Quad  Small  Form-Factor  Pluggable）等のプラグインモジュールでも良く、適宜変更可能である。
【００７９】
光伝送装置２は、光送受信器４の送信部１１及び受信部１２として、例えばＣＦＰ３１、ＯＴＮフレーマ３２、レーザ部３３、変調部３４、復調部３５、通信制御部３９及び設定部４５を光送受信器４の通信モジュールとして実装しても良く、適宜変更可能である。この場合、光伝送装置２は、例えば、ＯＴＤＲ制御部４０、生成部４１、検出部４２、分析部４３及び到達距離テーブル４４を別のモジュールとして実装しても良く、適宜変更可能である。
【００８０】
また、例えば、光送受信器４は、送信部１１及び受信部１２を内蔵した場合を例示したが、これに限定されるものではなく、適宜変更可能である。
【００８１】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【符号の説明】
【００８２】
１  ＷＤＭシステム
２  光伝送装置
３  光ファイバ
４  光送受信器
５  波長合分波器
５Ａ  ＣＤ−ＲＯＡＤＭ
２１  合波部
２２  分波部
４０  ＯＴＤＲ制御部
４１  生成部
４２  検出部
４３  分析部
４５  設定部
【図１】
2020098987.tif 000003
【図２】
2020098987.tif 000004
【図３】
2020098987.tif 000005
【図４】
2020098987.tif 000006
【図５】
2020098987.tif 000007
【図６】
2020098987.tif 000008
【図７】
2020098987.tif 000009
【図８】
2020098987.tif 000010
【図９】
2020098987.tif 000011
【図１０】
2020098987.tif 000012
【図１１】
2020098987.tif 000013
【図１２】
2020098987.tif 000014
【図１３】
2020098987.tif 000015
【図１４】
2020098987.tif 000016